(57)【特許請求の範囲】
【請求項１】
ストロー等の物品を下フィルムと、該下フィルムに貼着される上フィルムとで包蔵し、上フィルムに開封用カットテープを貼着して成るストロー包装体において、
前記開封用カットテープが、上フィルムの要所左右で所要長さに渡って切り込まれた引裂きスリット間より広幅で該引裂きスリットを封鎖し、引裂き始端に開封用カットテープを二ツ折りに接合した摘み片を形成し、終端部を前記包装体の固定部に固着して成るストロー包装体。
【請求項２】
請求項１記載のストロー包装体を飲料容器に貼着したストロー付き飲料品。
【発明の詳細な説明】
【技術分野】
【０００１】
本発明は、ストロー包装体及びストロー包装体を貼着したストロー付き飲料品に関する。
【背景技術】
【０００２】
従来から牛乳やコーヒーやジュース類の飲料入りの容器本体には、１本の管からなるストローや多段に引き延ばし可能な多段式ストローを包装フィルムで包装したストロー包装体がホットメルト接着剤やヒートシールにより貼着されている。
そのストロー包装体からストローを取り出す開封手段は提案されている。例えば（特許文献１）では、ストロー包装体のストロー取り出し側の開封強度を弱くしたり、ストローの取り出し方向を示す表示部を設けたり、フィルムの引裂き強度を特定したり、ストローの取り出し端部側のシール部の寸法を限定したり、シール部の形状を山形形状にしたり、上フィルムと下フィルムとの剥離強度を特定するなどが提案されている。
【０００３】
また、（特許文献２）の（ワ）第２３８９号東京地方裁判所  平成５年１２月２２日判決（おにぎり海苔包装用フィルム事件）における判決〔理由〕の項３の（二）及び（三）で示されるところによれば、
（二）本件考案の出願当時、包装用フィルムの切り離し手段として（ミシン目）方式、（カットテープ）方式、（方向性フィルム）方式などの技術が当業者において公知であったこと、
（三）（ミシン目）方式はポケットティッシュの包装などのように、フィルムに点線状の穴の列を設ける方式であり、（カットテープ）方式はタバコやキャラメルの包装のように、フィルムに開封用のカットテープを装着する方式であり、（方向性フィルム）方式は酒のつまみ類の包装などのように、一定方向に切れやすく、他方向に切れにくい性質のフィルムを使用したうえ、切り欠き部分などを設ける方式であること、
を記していてフィルム包装の開封技術が対象物品に対応して多数公知であることを示している。
なお、カットテープを使用したものでは上記のほか、特開２００１−２４７１３８号公報（特許文献３）や特開２００１−３２２６５０号公報（特許文献４）が提案されているが、これらはカットテープの幅よりフィルムを切り裂く切り込みや切欠の幅が広い上、これらの部位はフィルムの内部と連通するものであるから、切り込みや切欠から該内部に外気が入り込み、ストローなどの口にするものなどの包装では非衛生的なものである。
【特許文献１】特開２００６−１４３３０６号公報
【特許文献２】平成５年（ワ）第２３８９号  東京地方裁判所  平成５年１２月２２日判決
【特許文献３】特開２００１−２４７１３８号公報
【特許文献４】特開２００１−３２２６５０号公報
【発明の開示】
【発明が解決しようとする課題】
【０００４】
本発明は、カットテープ方式による開封技術において、カットテープを引裂きの始端にして引裂きし易くするとともに、開封部の幅より広幅のカットテープで該開封部を封鎖して外気の侵入を防止し、その終端部が固着されてカットテープの後始末の手数が省けるストロー包装体及びストロー付き飲料品を提供する。
【課題を解決するための手段】
【０００５】
本発明の請求項１に記載したストロー包装体はストロー等の物品を下フィルムと、該下フィルムに貼着される上フィルムとで包蔵し、上フィルムに開封用カットテープを貼着して成るストロー包装体において、
前記開封用カットテープが、上フィルムの要所左右で所要長さに渡って切り込まれた引裂きスリット間より広幅で該引裂きスリットを封鎖し、引裂き始端に開封用カットテープを二ツ折りに接合した摘み片を形成し、終端部を前記包装体の固定部に固着して成る。
本発明の請求項２に記載したストロー付き飲料品は請求項１記載のストロー包装体を飲料容器に貼着して成る。
本発明はまた、ストローに限らず被覆封入して提供される物品の包装体の開封手段に適用される。
【発明の効果】
【０００６】
本発明のストロー包装体は、上フィルムに所要間隔で２列に配列した両引裂きスリットを封鎖するように、両引裂きスリット間より幅の広い（広幅の）開封用カットテープが上フィルムに接着剤で接合されるから、下フィルムと上フィルム間に包蔵されるストローには外気の侵入がなく、しかも、開封時には下端（開封始端）に自由な片部として設けられた摘み片を持って両引裂きスリットから容易に開封できるものであり、開封終端部は上端の固定部で固着されているから開封用カットテープが分離されることなく、ストロー包装体と一体であるから後始末の手数が省けるなどの効果がある。
【実施例】
【０００７】
本発明を実施例により説明すると、図１に示すように、ストロー包装体Ａは透明な合成樹脂製の下フィルム１に同じく透明な上フィルム２がストロー３を収納した状態で重ね合わされその周縁全周が上下溶着されている。そして、図３に示すように、上フィルム２はその一端（上端）から他端（下端）にかけてストロー３上に沿って切り込まれた引裂きスリット２a、２a上に、透明な合成樹脂製であって上フィルム２の上下端間より長い長さで、前記スリット２a、２a間より幅広い開封用カットテープ４を重ね、開封用カットテープ４の裏面の接着剤（図外）により前記引裂きスリット２a、２a間を封鎖している。
開封用カットテープ４はその一端部（上端部）を前記引裂きスリット２a、２aの上端より上方で上フィルム２に固着して固定部５とし、下端部は前記引裂きスリット２a、２aより下方で二ツ折りに裏返してその部分は接着性のない摘み片６とし自由な片部としている。
【０００８】
上記構成のストロ−包装体Ａは飲料の包装容器（飲料容器）７に下フィルム１の裏面が接着剤で貼着されて本発明のストロー付き飲料品Ｂは成っている。
【０００９】
飲料を吸飲のためにストロー３を取り出すには、摘み片６を摘んで固定部５へ向けて引くと、前記引裂きスリット２a、２aは開封用カットテープ４の粘着力により切り開かれ上フィルム２は左右へ分離する。図２に示すように開封用カットテープ４は固定部５にて上フィルム２に固定され、ストロー３を抜き取るときにも脱落しない。したがって、ストロー包装体と開封用カットテープ４とを一体に始末できる。
【産業上の利用可能性】
【００１０】
本発明はストローのような吸飲用品に限らず、被覆して提供される物品の包装体に適用される。
【図面の簡単な説明】
【００１１】
【図１】本発明ストロー包装体を飲料容器に固着した斜視図。
【図２】図１のストロー包装体の開封用カットテープの開封時の状態を示す斜視図。
【図３】ストロー包装体Ａの断面図による説明図で、（ａ）は広幅の開封用カットテープ４により上フィルム２をストロー３の全幅に渡って開封する実施例を示し、（ｂ）はストロー３の上部を幅の狭い開封用カットテープ４により開封する一実施態様を示す。
【符号の説明】
【００１２】
Ａ：ストロー包装体
Ｂ：ストロー付き飲料品
１：下フィルム
２：上フィルム
２a：引裂きスリット
３：ストロー
４：開封用カットテープ
５：固定部
６：摘み片
７：包装容器
【図１】
0004848334.tif 000002
【図２】
0004848334.tif 000003
【図３】
0004848334.tif 000004